(57)【要約】  【課題】オプション部材を背に適切に取り付けるための新たな構造を備えた椅子等を新たに提供する。  【解決手段】背５を構成する背枠５ｘに張材取付部５７を設けた椅子において、その張材取付部５７が設けられて張材５ｙが張られる背枠５ｘと同じ周回枠の少なくとも一部にオプション取付部５８を形成し、このオプション取付部５８を利用してヘッドレスト８１等のオプション部材８を、張材５ｙとの干渉を避けて取り付け得るように構成することとした。  【選択図】図１２
2008104521.tif 000002
【特許請求の範囲】
【請求項１】
背を構成する背枠に張材取付部を設けたものにおいて、その張材取付部が設けられて張材が張られる背枠と同じ周回枠の少なくとも一部にオプション取付部を形成し、このオプション取付部を利用してオプション部材を、張材との干渉を避けて取り付け得るようにしたことを特徴とする椅子。
【請求項２】
オプション取付部を背枠における張材取付部の後部隣接位置に形成している請求項１記載の椅子。
【請求項３】
張材取付部は背枠の周回方向に沿って形成され、オプション取付部もこれと平行をなして形成されている請求項１又は２記載の椅子。
【請求項４】
張材取付部及びオプション取付部が背枠の周回方向に沿って少なくとも上枠部及び左右の側枠部の略全域に亘って設けてある請求項１〜３記載の椅子。
【請求項５】
オプション取付部の少なくとも一部は背枠の外周に沿って延びる溝状のものである請求項１〜４記載の椅子。
【請求項６】
オプション取付部において、オプション部材で背枠を抱くようにして当該オプション部材を背枠に取り付けるようにしている請求項１〜５記載の椅子。
【請求項７】
背枠の内周側の前面には張材取付部に張材を取り付けた状態で張材との間に張材の撓みしろとなる隙間を形成する部位が存在し、オプション取付部の少なくとも一部は背枠の外周側に形成した溝であって、オプション部材を外周の溝から内周の隙間に臨む部位に跨って取り付けるようにしている請求項６記載の椅子。
【請求項８】
背枠の外周側及びそこから背面側ないし内周側へ変位した２箇所にオプション取付部を構成する溝をそれぞれ形成し、オプション部材を両溝に跨って取り付けるようにしている請求項６記載の椅子。
【請求項９】
溝が、正面及び背面から視認されない状態で設けてある請求項７又は８記載の椅子。
【請求項１０】
溝の内部に、オプション部材を凹凸構造の下に係り合わせて溝方向の位置決めをなす位置決め部を設けている請求項６〜９記載の椅子。
【請求項１１】
オプション部材が、背枠を抱き込む一対の対向部を有し、それらの対向部で背枠を挟持し得るようにしている請求項６〜１０記載の椅子。
【請求項１２】
対向部間には、開口縁よりも内方が幅広となる凹部が形成され、この凹部を経過的に広げて背枠を受容した後、凹部を狭める方向に締め付け力を付与するようにしている請求項１１記載の椅子。
【請求項１３】
背枠が周回方向に沿ってその断面形状を所定領域において変形させてあり、オプション部材の凹部も所定取付位置における背枠の断面形状に対応させて変形させている請求項１２記載の椅子。
【請求項１４】
オプション取付部において、オプション部材の一部を背枠で抱くようにして当該オプション部材を背枠に取り付けるようにしている請求項１〜５記載の椅子。
【請求項１５】
オプション取付部は、開口縁よりも内方が幅広となる溝状のものであり、その溝の内周においてオプション部材を抱くようにしている請求項１４記載の椅子。
【請求項１６】
請求項１〜１５記載の椅子を構成すべく、背の背枠を構成する背枠の一部に張材取付部を設けたものであって、その背枠上、張材取付部と干渉しない部位にオプション取付部を形成し、これら両取付部を通じて張材及びオプション部材を共通の背枠に取り付け得るようにしたことを特徴とする背。
【発明の詳細な説明】
【技術分野】
【０００１】
本発明は、オフィス等で使用される椅子に係り、特に背にオプション部材を適切に取り付け得るようにした椅子及び背に関するものである。
【背景技術】
【０００２】
背を構成する背枠に張材が取り付けられる状態で、背にヘッドレスト等のオプション部材を取り付ける場合、張材に一部被るようにして背枠にオプション部材を取り付けるか、あるいは特許文献１等に示すように、背枠からオプション取付用のフレームを分岐させて後方に持ち出し、そのフレームにオプション部材を取り付けるようにしているのが通例である。
【特許文献１】特開２００６−１１０００４号公報
【発明の開示】
【発明が解決しようとする課題】
【０００３】
しかしながら、前者の構成では張材が傷んだり使用感が損なわれる恐れがあり、また、これを避けるべく案出された特許文献１の構成では、背枠の後ろに別異のフレームが突出して存在するので、スマートさに欠け、ヘッドレストを取り付けていないときにもフレームは同じ状態で存在するという無駄がある。
【０００４】
本発明は、このような課題に着目してなされたものであって、オプション部材を背に適切に取り付けるための新たな構造を備えた椅子等を新たに提供することを目的としている。
【課題を解決するための手段】
【０００５】
本発明は、かかる目的を達成するために、次のような手段を講じたものである。
【０００６】
すなわち、本発明の椅子は、背を構成する背枠に張材取付部を設けたものにおいて、その張材取付部が設けられて張材が張られる背枠と同じ周回枠の少なくとも一部にオプション取付部を形成し、このオプション取付部を利用してオプション部材を、張材との干渉を避けて取り付け得るようにしたことを特徴とする。
【０００７】
このように構成すると、背枠に張材のみならずオプション部材をも取り付けることができ、その際にオプション取付部やオプション部材が張材と干渉しないようにしているので、張材が傷む恐れがなく、背枠の後ろに別異のフレームを設けること等も不要にして無駄のないスマートな背の外観を確保することができる。また、オプション部材を取り付けない場合には、周回枠からなる通常の背が存在するだけであるから、特殊なフレーム等が常設される場合の不具合も有効に解消することができる。
【０００８】
位置関係としては、オプション取付部を背枠における張材取付部の後部隣接位置に形成しておくことや、張材取付部を背枠の周回方向に沿って形成し、オプション取付部もこれと平行をなして形成しておくこと等が望ましい。
【０００９】
張材の取付状態を良好にし、オプション部材の取付位置や種類にも選択の幅をもたせるためには、張材取付部及びオプション取付部を背枠の周回方向に沿って少なくとも上枠部及び左右の側枠部の略全域に亘って設けておくことが好ましい。
【００１０】
意匠的効果の高いオプション取付部の態様としては、その少なくとも一部が背枠の外周に沿って延びる溝状をなしているものが有効である。
【００１１】
オプション取付部における具体的な取付構造としては、オプション部材で背枠を抱くようにして当該オプション部材を背枠に取り付けるようにしているものが挙げられる。
【００１２】
特にこの場合、張材との干渉を避けるための具体的構造としては、背枠の内周側の前面には張材取付部に張材を取り付けた状態で張材との間に張材の撓みしろとなる隙間を形成する部位が存在し、オプション取付部の少なくとも一部は背枠の外周側に形成した溝であって、オプション部材を外周の溝から内周の隙間に臨む部位に跨って取り付けるようにしているものが好適である。
【００１３】
或いは、背枠の外周側及びそこから背面側ないし内周側へ変位した２箇所にオプション取付部を構成する溝をそれぞれ形成し、オプション部材を両溝に跨って取り付けるようにしているものも挙げられる。
【００１４】
取付構造を極力悟られないようにするためには、溝が、正面及び背面から視認されない状態で設けてあることが望ましい。
【００１５】
背枠の所定位置へのオプション部材の位置決めを、背枠の表面に突起や穴等の位置決め構造を表出させることなく有効に実現し、これによりオプション部材を取り付けない状態での背の外観の毀損を防ぐためには、溝の内部に、オプション部材を凹凸構造の下に係り合わせて溝方向の位置決めをなす位置決め部を設けておくことが望ましい。
【００１６】
張材等を避けてオプション部材に背枠を抱かせるための具体的な構造としては、オプション部材が、背枠を抱き込む一対の対向部を有し、それらの対向部で背枠を挟持し得るように構成することが効果的である。
【００１７】
その場合の取付状態をより確実ならしめるためには、対向部間には、開口縁よりも内方が幅広となる凹部が形成され、この凹部を経過的に広げて背枠を受容した後、凹部を狭める方向に締め付け力を付与するようにしておくのがよい。
【００１８】
上述した溝の内部を利用する態様以外に、背枠の所定位置へのオプション部材の位置決めを背の外観を毀損せずに行い得るようにするためには、背枠が周回方向に沿ってその断面形状を所定領域において変形させてあり、オプション部材の凹部も所定取付位置における背枠の断面形状に対応させて変形させておくことが望ましい。
【００１９】
オプション取付部における上記以外の具体的な取付構造としては、オプション部材の一部を背枠で抱くようにして当該オプション部材を背枠に取り付けるようにしているものが挙げられる。
【００２０】
特に、オプション取付部は、開口縁よりも内方が幅広となる溝状のものであり、その溝の内周においてオプション部材を抱くようにしているものが好適である。
【００２１】
背枠の一部に張材取付部を設けた背において、その背枠上、張材取付部と干渉しない部位にオプション取付部を形成し、これら両取付部を通じて張材及びオプション部材を共通の背枠に取り付け得るように背を構成すれば、この背を従来の背に代えて用いることで本発明の椅子を有効に構成することが可能となる。
【発明の効果】
【００２２】
本発明は、以上説明した構成であるから、背枠自体にオプション取付部を背枠取付部とともに適切に具現することで、張材を傷めず、また張材との干渉を避けるために見栄えの悪いオプション取付構造となることを有効に解消した新規有用な椅子を提供することが可能となる。
【発明を実施するための最良の形態】
【００２３】
以下、本発明の一実施形態を、図面を参照して説明する。
【００２４】
この実施形態の椅子は、図１〜図５に示すように、脚羽根１１に支柱１２を介して基部２を回転可能に取り付けてなる椅子本体に対し、その両側部に背支桿３を回転可能に取り付けるとともに、基部２及び背支桿３に、座４及び背５をシンクロチルト可能に関連づけている。
【００２５】
基部２は、支柱１２に回転可能に取り付けた支持基部２１と、この支持基部２１上に配置した座取付部２２とからなるもので、支持基部２１には基底部から側方に突出させた支軸６１を介して背支桿３の基端３ａが回転可能に取り付けてある。座取付部２２は前部を長孔２１ａ及びピン２２aからなるスライド機構を介して前記支持基部２１の先端に接続され、後部を一対の背支桿３の間に架設した支軸６２に軸受部２２ｂを介して回転し得るように接続されている。そして、座取付部２２に座４を取り付け、背支桿３の延出端３ｂに背５を取り付けた状態で、背支桿３を支軸６１回りに後傾させることにより、図１に矢印で示すように、座取付部２２の後部が支軸６２によって後下方へ移動させられ、座取付部２２の前部がピン２２ａの長孔２１ａ内におけるスライド動作によって後方へ移動させられて、背５の後傾動作と座４の後下方への沈み込み動作とが連動するシンクロチルト動作が引き起こされるようにしている。なお、この基部２それ自体には、背５をロックするロック機構は組み込まれていない。
【００２６】
このような構成において、本実施形態は、背支桿３をコンパクトでスマートな形態にしつつ、この背支桿３に背５を直付け可能にするとともに、その背５に直接ヘッドレスト等のオプション部材を取り付け得るようにしている。
【００２７】
背支桿３は、本実施形態ではアルミダイキャスト製のもので、図６〜図８に示すように少なくとも本体部３ｃがほぼ全域に亘って断面略コ字状をなし、そのうち図６に現われる内向きコ字状の部位に内側開口部３ｄ、３ｆが、また図７に現われる外向きコ字状の部位に外側開口部３ｅが、それぞれ一体的に形成されている。
【００２８】
本体部３ｃは、内壁３１、外壁３２、上壁３３及び底壁３４からなる略直方体状のもので、それらの壁面は背支桿３の長手方向に沿って直線状に延びており、後部の延出端３ｂ側に第１の内側開口部３ｄを、その基端側隣接位置に外側開口部３ｅを、さらにその基端側隣接位置に第２の内側開口部３ｆをそれぞれ形成している。第１の内側開口部３ｄは、背支桿取付部として機能するもので、図８（ａ）、（ｂ）に示すように外壁３２、上壁３３、底壁３４及び隔壁３５によって区画された横断面内向きコ字状をなし、内側及び延出端側に向けて開口している。外側開口部３ｅは、肘取付部として機能するもので、図８（ａ）、（ｃ）に示すように内壁３１、上壁３３、底壁３４及び一対の隔壁３５，３６によって区画された横断面外向きコ字状をなし、外側に向けて開口している。第２の内側開口部３ｆは、図８（ａ）、（ｄ）に示すように外壁３２、上壁３３、底壁３４及び一対の隔壁３６，３７によって区画された横断面内向きコ字状をなし、内側に向けて開口している。この第２の内側開口部３ｆは、更にその内側が縦隔壁ｆ１及び横隔壁ｆ２によって４つの小開口部に区画されているが、これは肉厚を均一にするための肉盗みである。
【００２９】
すなわち、第１の内側開口部３ｄの内方には背支桿３の外壁３２が奥部立壁として存在し、外側開口部３ｅの内方には背支桿３の内壁３１が奥部立壁として存在しており、それらの奥部立壁にそれぞれ背支桿３や肘６を取り付けるためのねじ穴３ｄ１、３ｅ１を設けている。
【００３０】
そして、例えば図７に示す第１の外側開口部３ｅでは、一対の隔壁３５，３６の上部間及び下部間がそれぞれ背支桿３の上壁３３及び底壁３４により接続されて内周が全て周回状に閉じた状態となり、図６に示す第２の内側開口部３ｆでは、縦隔壁ｆ１及び横隔壁ｆ２を無視して考えるならば一対の隔壁３６、３７の上部間及び下部間がそれぞれ背支桿３の上壁３３及び底壁３４により接続されて内周が全て周回状に閉じた状態となる。勿論、この内側開口部３ｆ内を細分する各小開口部においても内周は全て閉じた状態となる。これらの構造は開口部の強度を確保する上で有効となるものである。第１の内側開口部３ｅは後述する背５の突出部５４を差し込む必要があるため内周が後端側へ開口したものとなっているが、このように後端側へ開口しても背５の突出部５４を差し込んだ状態で内部が密実に充填されるため強度的な支障はない。
【００３１】
一方、図８の各図に現われるように、内側開口部３ｄ、３ｆの内周は漸次外側に向かって開口を小さくするテーパ形状をなし、外側開口部３ｅの内周は漸次内側に向かって開口を小さくするテーパ形状をなしていて、これらの内周のテーパ形状は、背支桿３の外壁３２と内壁３１のほぼ中央を通る位置にパーティングラインを設定して構成される金型（図示省略）の抜きテーパを兼ねている。
【００３２】
なお、この背支桿３には、図５〜図７に示すように、基端３ａ近傍の上壁３３に支軸６１を挿し通す軸受部７１が、また延出端３ｂ近傍の上壁３３に支軸６２を挿し通す軸受部７２が、それぞれ成型により隆起部を設けかつ樹脂製のブッシュを装着することによって構成されている。基端３ａ側に位置する軸穴７３には、背５の回動範囲を規制する回動規制ピン６３（図１及び図５参照）が支持基部２１から突出して差し込まれる。
【００３３】
以上において、背支桿３の本体部３ｃの内壁３１、外壁３２、上壁３３、底壁３４、隔壁３５〜３７は勿論のこと、基端部３ａの軸穴７３や軸受部７１，７２を構成する穴の周囲を含めて、背支桿３のほぼ全域が等厚な成形体であり、軸穴７３や軸受部７１，７２を構成する穴も内側開口部と見れば、これらの内側開口部を含めてほぼ全ての領域において横断面がコ字形をなす。
【００３４】
このようにしてなる一対の背支桿３は、図４及び図９等に示すように、その間隔が基端部３ａから延出端部３ｂに向けて拡開した状態で基部２に取り付けられるが、各開口部３ｄ、３ｅ、３ｆの開口方向は背幅方向（換言すれば支軸６１，６２の方向）と平行をなすように設定してある。このため、背支桿３を基準に見れば、図９に示すように、例えば開口部３ｄに対して肘６を差し込む方向（すなわち開口部３ｄの開口方向）は背支桿３の長手方向と直交する方向に対して一定の角度をなすものとなっている。
【００３５】
このようにしてなる背支桿３は、図１に示すように、その延出端３ｂを座面よりも高くならない範囲で座４の後方に延出させてある。
【００３６】
そして、上記のように基部２の左右両側部に振り分けた一対の背支桿３の延出端３ｂに、図１、図４及び図５に示すごとく背５を直付けするようにしている。
【００３７】
背５は、図１〜図３に示すように樹脂一体成型により構成されて、上枠部５１、下枠部５２及び左右の側枠部５３からなる単一周回枠状の背枠５ｘと、この背枠５ｘの内側に張り設けた張材５ｙとからなるもので、側枠部５３は側面視において上下方向ほぼ中間位置が最も前方に突出する概略くの字状をなし、上枠部５１及び下枠部５２は図４、図５及び図１０等に示すように平断面が前方に向かって凹となる湾曲形状をなしている。そして、背５の下部に位置する前記下枠部５２の前面側における左右２箇所に、背支桿接続部５４を一体的に形成している。
【００３８】
背支桿接続部５４は、下枠部５２の前面より前方に向けて突起５４ａを一体的に設け、この突起５４ａを背支桿３の延出端３ｂに開口する第１の内側開口部３ｄにテーパ嵌合させて、突起５４ａの一部に設けた貫通孔５４ｂに内側からボルトを差し込んで背支桿３のめねじ部３ｄ１（図８参照）に締着するようにしたものであり、嵌合状態で突起５４ａに設けた段部５４ａ１を背支桿３の延出端３ｂの端面３ｂ１に突き当てるようにしている。背支桿３は図１の如く後方に向かって側面視ほぼ直線状に延びているため、本実施形態においてはほぼ最短距離でその延出端３ｂに背５が取り付けられる。背支桿３の幅方向の位置づけは、図２に示すように座４の下方であって側縁よりも内方に入り込んだ部位であり、前後方向の位置づけは、図１に示すように基端３ａが座４の前後方向のほぼ中央、支柱１２の僅か前方部位である。
【００３９】
一方、この椅子は、通常なら基部２内に構成される背のロック機構を基部２外に持ち出して、図１、図４等に示すようにガススプリング機構７という形で基部２と背５の間に配置するようにしており、そのために図４及び図１０等に示すようにロック機構取付部５５を背５の下辺部に位置する下枠部５２の幅方向中央部に設けている。
【００４０】
このロック機構取付部５５を形成するにあたり、背５の下枠部５２の平断面が前方に向けて凹状に湾曲している点に着目し、この背５を側面視した場合にその凹み内に収まり前方に突出しない状態で上下一対の横リブ５６ａ、５６ｂを設けている。これらの横リブ５６ａ、５６ｂは、両端が下枠部５２に沿って延びて前述した背支桿接続部５４を構成する左右一対の突出部５４ａに接続されている。そして、これらの横リブ５６ａ、５６ｂの間にロック機構取付部５５を形成している。
【００４１】
ロック機構取付部５５は、樹脂一体成型により、図１０に示すように横リブ５６ａ、５６ｂに支持させた状態で一対の縦リブ５５ａを背幅方向に対向させて設け、これらの縦リブ５５ａに軸５５ｂを挿し通す軸受部たる軸穴５５ｃを形成したもので、この縦リブ５５ａも下枠部５２の平断面が前方に向けて凹状に湾曲している事との関係で、側面視した場合にその凹み内に収まるように構成している。
【００４２】
そして、ガススプリング機構７の一端７ａを図１、図３、図４、図１０等に示すように基部２の後部に設けた支軸６４に回転可能に支持させ、他端７ｂに形成した軸穴７１をロック機構取付部５５を構成する左右の縦リブ５５ａの間に差し込んでそれらの縦リブ５５ａに形成した軸穴５５ｃに合致させ、その状態で側方から軸５５ｂを差し込んでこれらに挿し通すことにより、基部２と背５の間にガススプリング機構７を取り付けている。
【００４３】
すなわち、背支桿３が背５とともに支軸６１回りに回転すると、支軸６１よりも後方の支軸６４に一端７ａを取り付けられたガススプリング機構７は、その他端７ｂが取り付けられた背５のロック機構取付部５５が次第に支軸６４に近づくことにより圧縮され、所要の圧縮位置で再びロックすることにより、背座を適宜のシンクロチルト状態に保持するようにしている。ロック状態を解除すれば、図１の姿勢への復帰力を発現するものとなる。
【００４４】
さらに、前述した背５には、図１１及び図１２に示すように、張材取付部５７及びオプション取付部５８が一体的に構成してある。
【００４５】
具体的には、背枠５ｘの上枠部５１及び左右の側枠部５３の外周には、背枠５ｘの周回方向に沿って略全域に亘り２本の溝５７ａ、５８ａが並行に形成してあり、前方に位置する溝５７ａをそれ自体で張材取付部５７として機能させるとともに、後方に位置する溝５８ａにヘッドレスト８１等のオプション部材８を取り付けるためのオプション取付部５８の役割を担わせるようにしている。
【００４６】
すなわち、この実施形態ではメッシュ地５ｙ１の周囲に板状の取付片５ｙ２を一体的に形成した張材５ｙを用意し、この張材５ｙの取付片５ｙ２を上枠部５１及び左右の側枠部５３の溝５７ａにそれぞれ差し込むとともに、張材５ｙの下端を適宜の構造、例えば図１３に示すように背５の下枠部５２に設けたフック爪５２ａに引っ掛けて固定する等の構造により固定して、当該張材５ｙを背５の前部に取り付けるようにしている。この状態では、図１に示すように背枠５ｘの側面等において前方の溝５７ａは張材５ｙで閉止され、後方の溝５８ａがスリット状に周回した状態となる。
【００４７】
そしてこのとき、図１２における背枠５ｘの横断面に現われるように、背枠５ｘの内周側の前面５ｘ１には張材５ｙとの間に張材５ｙの撓みしろとなる隙間Ｓを形成する部位が存在しており、この部位を含む背枠５ｘの内周側と、前述した背枠５ｘの外周側に形成した溝５８ａとによって、本発明のオプション取付部５８を構成している。
【００４８】
そして、オプション部材８として例えばヘッドレスト８１を、本体取付部８１ａ及びこの本体取付部８１ａに対してねじ８１ｂにより脱着される挟持片８１ｃから構成して、これらの間に背枠５ｘの上枠部５１を抱き込む形状の一対の対向部８１ｄ、８１ｅを形成し、その対向部８１ｄ、８１ｅ間に、開口縁よりも内方が幅広となる凹部８１ｆを形成するようにしている。そして、挟持片８１ｃを離脱させた状態でこの凹部８１ｆとなる部位に背枠５ｘの上枠部５１を受容した後、挟持片８１ｃを嵌め込んでねじ８１ｂを用いて凹部８１ｆを狭める方向に締め付け力を付与することにより、それらの対向部８１ｄ、８１ｅで背枠５ｘの上枠部５１を挟持して、ヘッドレスト８１を背枠５ｘを抱かせた状態に取り付けるようにしている。このようにして、ヘッドレスト８１は上枠部５１の外周側の溝５７ａから上枠部５１の内周側の隙間Ｓに臨む部位に跨って取り付けられる。なお、この状態において、挟持片８１ｃの前面５ｘ１は、背枠５ｘの上枠部５１の前面に滑らかに連続しており、張材５ｙが撓んだ際の張材受け面として機能し得るようにしている。
【００４９】
因みに、図１４はこの状態を背面から見たものであり、同図においては、このヘッドレスト８１との干渉を避けて、他のオプション部材８としてハンガー８２も同時に取り付けている。
【００５０】
このハンガー８２は、図１５に示すように、門型のハンガー本体８２ａと、このハンガー本体の２本の脚８２ａ１の下端にねじにより脱着される挟持片８２ｂとからなるもので、挟持片８２ｂの取付構造は上記ヘッドレスト８１におけると同様、溝５８ａを利用しつつ対向片間に上枠部５１を挟み込んで締め付けるものである。脚８２ａ１はヘッドレスト８１の本体取付部８１ａの両側に位置づけられる。このハンガー８２は図１２に想像線で示すように背５の最も後方に位置する背枠５ｘの上枠部５１に取り付けられるため、この位置に衣服を掛けると、く字型に屈曲する背の背面側に空いている空間に衣服を位置づけることができる。なお、図１４における符合８３で示すものは、他のオプション部材８として示したランバーサポートであり、背枠５ｘの側枠部５３の内周に上記に準じた溝５９を設けその溝５９に両端８３ａを挿し通すなどすれば、このような部材の取付も可能であることを示している。
【００５１】
このように、本実施形態は、背５を構成する背枠５ｘの一部に張材取付部５７を設けた椅子において、その張材取付部５７が設けられて張材５ｙが張られる背枠５ｘと同じ周回枠の少なくとも一部にオプション取付部５８を形成し、このオプション取付部５８を利用してヘッドレスト８１等のオプション部材８を、張材５ｙとの干渉を避けて取り付け得るようにしたものである。
【００５２】
このように構成すると、背枠５ｘに張材５ｙのみならずヘッドレスト８１やハンガー８２等のオプション部材５も取り付けることができ、その際にオプション取付部５８やオプション部材が張材取付部５７や張材５ｙと干渉しないようにしているので、張材５ｙが傷む恐れがないばかりか、背枠５ｘの後ろに別異のフレームを設けることも不要にして、無駄のないスマートな背５の外観を確保しつつオプション部材８の取付を実現することができる。また、オプション部材５を取り付けない場合は、張材５ｙが張られる周回枠のみからなる背５が存在するだけであるから、特殊なフレーム等が意味なく常設されるような不具合も有効に解消することが可能となる。
【００５３】
具体的には、オプション取付部５８を背枠５ｘにおける張材取付部５７の後部隣接位置に形成して、背枠５ｘ自体を前後の領域で使い分けるようにしているので、取付部５７，５８同士を明確に区画しつつ、共通の背枠５ｘへの張材５ｙ及びオプション部材８の併設構造を実現することができる。
【００５４】
また、張材取付部５７を背枠５ｘの周回方向に沿って形成し、オプション取付部５８もこれと平行をなして形成しているので、背枠５ｘの何れの位置においてもオプション取付部５８を張材取付部５７から遊離して目立つことがないように密接に位置づけて、背枠５ｘのスマートな外観を担保することができる。
【００５５】
特に、張材取付部５７及びオプション取付部５８が背枠５ｘの周回方向に沿って少なくとも上枠部５１及び左右の縦枠部５３の略全域に亘って設けているので、背枠５ｘの広い範囲に亘って張材５ｙを取り付けることにより取付状態を安定させることができ、また、オプション部材８の取付位置や取り付けるべきオプション部材５の種類に自由度をもたせることができる。すなわち、図示例ではヘッドレスト８１やハンガー８２を上枠部５１に取り付けたが、図１４に示すように側枠部５３の内周側に溝８３などのオプション取付部を設定してランバーサポートを高さ位置変更可能に取り付けるような態様等も容易に可能となる。
【００５６】
特に、オプション取付部５８の少なくとも一部は背枠５ｘの外周に沿って延びる溝５８ａとしているので、張材５ｙを取り付けた状態で背枠５ｘの外周にスリット状（目地状）に溝５８ａが走り、背枠５ｘに細身でスマートな印象を与えるような意匠的効果をもたらすことができる。
【００５７】
また、オプション取付部５８の具体的な取付構造として、ヘッドレスト８１等のオプション部材８で背枠５ｘを抱くようにして当該オプション部材８を背枠５ｘに取り付けるようにしているので、背枠５ｘにしっかりと取り付けることができ、またオプション部材８で背枠５ｘを挟むように取り付ければよいので、脱着も簡単な操作によって行うことができる。
【００５８】
本実施形態においては、背枠５ｘの内周側の前面には張材取付部５７に張材５ｙを取り付けた状態で張材５ｙとの間に張材５ｙの撓みしろとなる隙間Ｓを形成する部位が存在する点に着目し、オプション取付部５８の少なくとも一部を背枠５ｘの外周側に形成した溝５８ａとして、ヘッドレスト８１等のオプション部材８を外周の溝５８ａから内周の隙間Ｓに臨む部位に跨って取り付けるようにしているので、外周に溝５８ａを形成するだけでオプション取付構造を有効に実現することができる。
【００５９】
とりわけ、本実施形態の溝５７ａ、５８ａは、正面及び背面から視認されない状態で設けてあるので、張材５ｙがどのようにして取り付けられているか、あるいはヘッドレスト８１等のオプション部材８がどこにどの様にして取り付けられているか等が容易に知覚されない状態でこれらの取り付けを実現することができ、一見何の変哲もない背５でありながら高い機能を発揮し得るものとなる。
【００６０】
さらに上記ヘッドレスト８１の取り付けにおいて、背枠５ｘを抱き込む一対の対向部８１ｄ、８１ｅを有し、それらの対向部８１ｄ，８１ｅで背枠５ｘを挟持し得るようにしているので、張材５ｙを避けた取付構造として有効であり、かつ背枠５ｘへの取付状態を確実ならしめることができる。
【００６１】
この場合、対向部８１ｄ，８１ｅ間には、開口縁よりも内方が幅広となる凹部８１ｆが形成され、この凹部８１ｆを経過的に広げて背枠５ｘを受容した後、凹部８１ｆを狭める方向に締め付け力を付与するようにしているので、一旦締め付ければオプション部材５の脱落を確実に防ぐことができ、取付状態に確実性を期することが可能となる。特に、凹部８１ｆを背枠５ｘの横断面とともに異形な形をしているので、取付状態はより安定したものとなる。
【００６２】
勿論、本実施形態の特徴は背５にあることから、上記の背５を既存の椅子の背に代替使用するだけで、本発明の椅子を有効に構成することが可能となる。
【００６３】
なお、各部の具体的な構成は、上述した実施形態のみに限定されるものではなく、本発明の趣旨を逸脱しない範囲で種々変形が可能である。
【００６４】
例えば、図１６のように、同じ溝１５７を使っても張材５ｙとオプション部材８とで干渉しなければ（つまり阻害し合わなければ）、張材取付部及びオプション取付部としての溝１５７を共用することもできる。勿論、図１７に示す溝２５７のように、内部を階段状に設ける等して張地取付部として機能する部分とオプション取付部として機能する部分の住み分けを図ってもよい。
【００６５】
また、図１８に示すように、背枠５ｘの外周側及び内周側へ変位した２箇所にオプション取付部を構成する溝３５８ａ、３５８ｂをそれぞれ形成し、オプション部材８を両溝３５８ａ、３５８ｂに跨って取り付けるようにしても構わない。溝は、必ずしも背枠の内周側に設ける必要はなく、外周側から変位していれば例えば図１９の溝３５８ｃように背面側に設けることもできる。勿論、図１４のように内周側のみに溝５９を設けて張材５ｙと干渉させずにオプション部材を取り付ける態様もあり得る。
【００６６】
また、図２０（ａ）に示すように、溝４５８の内部に凹凸関連部４５８ｙを設け、対するオプション部材８側にこれと凹凸で係り合う凹凸関連部８ｙを設けて、これらの凹凸関連部４５８ｙ、８ｙを溝４５８内で係り合わせることにより、溝４５８の周回方向に沿ってオプション部材８の位置決めをなすように構成することも有効である。このようにすると、背枠５ｘの所定位置へのオプション部材８の位置決めを、背枠５ｘの表面に突起や穴等の位置決めのための構造を表出させずに行うことができるので、オプション部材８を取り付けない状態での背５の外観を有効に向上させることができる。図では溝４５８側の凹凸関連部４５８ｙが凹、オプション部材８側の凹凸関連部８ｙが凸をなしているが、凹凸関係は逆でもよい。また、図では背枠５ｘ側の凹凸関連部４５８ｙが溝４５８内の立面に設けてあるが、底面に設ける態様や立面から底面に亘る部位に設ける態様等も勿論可能であり、オプション部材８側の凹凸関連部８ｙもこれに対応させて設けておけばよい。同図（ｂ）はその一例を示すもので、溝４５８の底面に上に凸となる断面三角形状の凹凸関連部４５８ｙ２を設けるとともに、対するオプション部材８側に三角形状に切り欠いた凹凸関連部８ｙ２を設けたものであり、オプション部材８を溝４５８に嵌め込むに伴ってこれら凹凸関連部４５８ｙ２、８ｙ２によりオプション部材８を背枠５ｘの所定位置へ誘導しつつ位置決めする効果が奏される。
【００６７】
さらに、図２１のように背枠１０５ｘの断面形状を周回方向に沿って所定領域において変形させ、オプション部材１０８の凹部１０８ａも所定取付位置における背枠１０５ｘの断面形状に対応させて変形させれば、オプション部材１０８が本来の取付位置に配置されて初めて背枠１０５ｘに適合することになるので、上記と同様に、背枠１０５ｘの所定位置へのオプション部材１０８の位置決めを背枠１０５ｘに突起や穴等の位置決め構造を表出させずに行うことができ、オプション部材１０８を取り付けない状態での背５の外観の毀損を有効に回避することが可能となる。
【００６８】
さらにまた、図２２のように、オプション部材２０８の一部を背枠２０５ｘで抱くようにして当該オプション部材２０８を背枠２０５ｘに取り付ける態様も可能である。これによると、背枠２０５ｘの中にオプション部材２０８の一部が入り込んで取り付けられるので、取付部分を隠蔽して見栄えの向上に資することができる。
【００６９】
図示例のオプション取付部４５８は、開口縁よりも内方が幅広となる溝状のものであり、その溝の内周においてオプション部材２０８の基端拡開部２０８ｘを抱くように取り付け可能としたものであり、この基端拡開部２０８ｘは開口縁から挿入して回転させ、適宜の戻り止めを施す等の手法によって、開口縁の内壁に容易に密着させることができる。
【図面の簡単な説明】
【００７０】
【図１】本発明の一実施形態に係る椅子を示す側面図。
【図２】同背面図。
【図３】同後方斜視図。
【図４】同実施形態の機構部分を示す斜視図。
【図５】図４の分解図。
【図６】同実施形態の背支桿を内側から見た斜視図。
【図７】同実施形態の背支桿を外側から見た斜視図。
【図８】同背支桿の要部断面図。
【図９】同背支桿に対する開口部の開口方向を説明する図。
【図１０】同実施形態の背支桿取付部を示す部分拡大斜視図。
【図１１】同実施形態に係る背枠の溝構造をヘッドレスト部分において示す部分拡大斜視図。
【図１２】図１１に対応した断面図。
【図１３】同実施形態における張材の背下辺部への取付構造を示す図。
【図１４】オプション部材を取り付けた状態の椅子の背面図。
【図１５】同要部拡大図。
【図１６】本発明の変形例を示す図。
【図１７】本発明の変形例を示す図。
【図１８】本発明の変形例を示す図。
【図１９】本発明の変形例を示す図。
【図２０】本発明の変形例を示す図。
【図２１】本発明の変形例を示す図。
【図２２】本発明の変形例を示す図。
【符号の説明】
【００７１】
５…背
５ｘ…背枠
５１…上枠部
５３…側枠部
５７…張地取付部
５８…オプション取付部
【図１】
2008104521.tif 000003
【図２】
2008104521.tif 000004
【図３】
2008104521.tif 000005
【図４】
2008104521.tif 000006
【図５】
2008104521.tif 000007
【図６】
2008104521.tif 000008
【図７】
2008104521.tif 000009
【図８】
2008104521.tif 000010
【図９】
2008104521.tif 000011
【図１０】
2008104521.tif 000012
【図１１】
2008104521.tif 000013
【図１２】
2008104521.tif 000014
【図１３】
2008104521.tif 000015
【図１４】
2008104521.tif 000016
【図１５】
2008104521.tif 000017
【図１６】
2008104521.tif 000018
【図１７】
2008104521.tif 000019
【図１８】
2008104521.tif 000020
【図１９】
2008104521.tif 000021
【図２０】
2008104521.tif 000022
【図２１】
2008104521.tif 000023
【図２２】
2008104521.tif 000024